(57)【特許請求の範囲】
【請求項１】
外径の大きさが異なる複数の巻軸、又は巻取トルクの調節機構に関して種類が異なる複数の巻軸を準備しており、前記準備した複数の巻軸から適宜選択した巻軸を帯状シートの巻取位置と、その巻軸先端部が巻取位置で巻上げた巻取ロールから抜取られた状態になる抜取位置とにつけることができる巻軸抜取復帰機構を備え、前記選択した巻軸を使用して帯状シートを巻取るシート巻取装置であって、前記複数の巻軸の夫々の後端部に、前記巻軸が貫通するフレームに固設した共通の支持筒に適合する可動軸受を夫々設け、この可動軸受に前記巻軸抜取復帰機構を連結切り離し可能とし、前記巻軸抜取復帰機構により巻軸を前記抜取位置より更に後方の巻軸取替位置に後退させることができることとし、前記巻軸を長手方向に移動可能に支えるための各巻軸毎の巻軸受けを、当該巻軸受けで支持した巻軸が巻軸取替位置につく各々の巻軸受渡位置、及びその巻軸受渡位置沿いの各々の巻軸保管位置につけることができるように巻軸半径方向に移動可能に支持した休止巻軸支持装置を、前記巻軸取替位置の傍らに配設したことを特徴とするシート巻取装置。
【請求項２】
前記休止巻軸支持装置は、前記複数の巻軸受けを支持した可動体を備える請求項１記載のシート巻取装置。
【請求項３】
前記休止巻軸支持装置は、前記可動体を移動させるための可動体移動機構を備える請求項２記載のシート巻取装置。
【請求項４】
前記可動体は、該可動体の移動方向に対し交差方向に退避可能に前記巻軸受けを支持する請求項２記載のシート巻取装置。
【請求項５】
前記可動体は、水平方向に移動可能であり、かつ昇降可能である請求項２記載のシート巻取装置。
【請求項６】
請求項１に記載のシート巻取装置において、前記抜取位置から後退する巻軸の先端付近の外周部を下から支えるための補助巻軸受けを、巻軸支持位置と退避位置につくことができるように設けたことを特徴とするシート巻取装置。
【発明の詳細な説明】
【０００１】
【発明の属する技術分野】
本発明は、巻軸を帯状シートの巻取位置と、その巻軸先端部が巻取位置で巻上げた巻取ロールから抜取られた状態になる抜取位置とにつけることができる巻軸抜取復帰機構を備え、複数種類の巻軸から適宜選択した巻軸を使用して帯状シートを巻取るシート巻取装置に関する。
【０００２】
【従来の技術】
従来、上述のようなシート巻取装置では、例えば実公平１−４４５２０号に開示されるように、巻軸抜取復帰機構の移動体と連結される可動軸受を巻軸の後端部に設け、巻軸により支持筒を貫通した状態にしておき、巻軸を巻取位置につけると巻軸先端部が押しコップにより保持されると共に可動軸受が、フレームに装着した支持筒に保持されるようにしてある。そして普通、一つの巻取位置に対して１種類の巻軸のみを用いることが多いが、巻取仕様に応じ、外径の大きさが異なる巻軸、あるいはフリクション巻軸と軸トルク巻用の巻軸のように巻取トルクの調節機構に関して種類が異なる巻軸を複数準備しておき、それらを互いに取替えて用いなければならない場合もある。その場合、予め各巻軸には夫々その巻軸の大きさに応じた可動軸受とこれに適合する支持筒とを装着しておき、巻軸を取替えるとき、作業者が、巻軸の可動軸受と巻軸抜取復帰機構とを切離し、休止させる巻軸を、ホイストにより吊った状態で支持筒と一緒にフレームの貫通穴から抜取って吊り上げ、それを保管場所まで搬送して降ろし、代わりに使用する休止中の巻軸をホイストにより吊り上げてシート巻取装置まで搬送し、ホイストから吊り下げた状態でフレームの貫通穴に通し、更に巻軸上の支持筒も貫通穴に嵌めてフレームに固定する。
【０００３】
【発明が解決しようとする課題】
ところが、従来のシート巻取装置における巻軸の交換作業は、巻軸の重量が大きく、その巻軸をホイストで吊り上げたとき不安定になり易いので、巻軸をシート巻取装置に衝突させてそれらを損傷する恐れがあり作業者に危険も伴う。そのため巻軸の交換作業には熟練を要する。また、シート巻取装置から取外した休止巻軸を保管場所へ移送しなければならないので、長時間を要する。更にホイストや保管場所に休止巻軸を載せる棚などの規模の大きい設備が必要になる。
【０００４】
本発明は、外径の大きさが異なる複数の巻軸、又は巻取トルクの調節機構に関して種類が異なる複数の巻軸を準備しており、前記準備した複数の巻軸から適宜選択した巻軸を帯状シートの巻取位置と、その巻軸先端部が巻取位置で巻上げた巻取ロールから抜取られた状態になる抜取位置とにつけることができる巻軸抜取復帰機構を備え、前記選択した巻軸を使用して帯状シートを巻取るシート巻取装置において、巻軸を短時間で簡単に安全に交換することができるようにすることを目的としている。
【０００５】
【課題を解決するための手段】
上記目的を達成するために、本発明では、外径の大きさが異なる複数の巻軸、又は巻取トルクの調節機構に関して種類が異なる複数の巻軸の夫々の後端部に、前記巻軸が貫通するフレームに固設した共通の支持筒に適合する可動軸受を設け、この可動軸受に前記巻軸抜取復帰機構を連結切り離し可能にし、巻軸抜取復帰機構により巻軸を前記抜取位置より更に後方の巻軸取替位置に後退させることができることとする。そして前記巻軸を長手方向に移動可能に支えるための各巻軸毎の巻軸受けを、当該巻軸受けで支持した巻軸が巻軸取替位置につく各々の巻軸受渡位置、及びその巻軸受渡位置沿いの各々の巻軸保管位置につけることができるように巻軸半径方向に移動可能に支持した休止巻軸支持装置を、前記巻軸取替位置の傍らに配設する。
【０００６】
本発明では、外径の大きさが異なる複数の巻軸、又は巻取トルクの調節機構に関して種類が異なる複数の巻軸の夫々の後端部に、巻軸が貫通するフレームに固設した共通の支持筒に適合する可動軸受を設けることにより、巻軸交換時にその都度支持筒をフレームに着脱する必要がなくなる。また巻軸抜取復帰機構により巻軸を抜取位置より更に後方の巻軸取替位置に後退させることができること、並びに、各巻軸毎の巻軸受けを各々の巻軸保管位置及び巻軸受渡位置につくことができるように巻軸半径方向に移動可能に支持した休止巻軸支持装置を、巻軸取替位置の傍らに配設することにより、巻軸交換時に巻軸をフレームから抜取ったり復帰させたりする作業を巻軸抜取復帰機構により行うことができ、そのとき休止巻軸支持装置は、巻軸受渡位置につけた巻軸受けにより、抜取位置より後方に移動した巻軸の先端が落下しないように下から支えることができる。そしてフレームから抜取った巻軸を巻軸受けで支持して巻軸取替位置沿いに保管しておき、保管中の巻軸を使用するときは巻軸受けを巻軸受渡位置に移動することにより、その巻軸を巻軸取替位置につけることができ、巻軸の移送距離を僅かなものにすることができる。
【０００７】
【発明の実施の形態】
図１は本発明の第１実施例に係るシート巻取装置の正面図である。図１において１ａ、１ｂは夫々フリクション巻軸であり互いに外径が異なっている。このシート巻取装置では外径の異なる巻軸１ａ、１ｂから巻取仕様に応じたものを選択して使用する。図１は外径の大きい巻軸１ｂを休止巻軸とし、外径の小さい巻軸１ａを使用可能にした状態を示している。一対のフレーム２、３の間に並列に架け渡した状態の上下の巻軸１ａ、１ａは、夫々フレーム２をその外側（図１ではフレーム２の左側）から内側へ貫通して巻取位置についている。
【０００８】
このシート巻取装置は、図示しない原反ロールから巻き戻されて案内ローラ群４上を走行する広幅の帯状シートＳ０をスリッター装置の複数の刃物Ｋで長手方向に切断することにより複数の帯状シートＳに分割し、その帯状シートＳを上下の巻取位置の巻軸１ａへ振り分けて、巻軸１ａの外周に装着した筒状の巻芯Ｃのまわりに巻取ロールＲとして巻取るためのものである。そして各巻軸１ａ毎に巻軸抜取復帰機構５を備えており、巻取ロールＲを巻軸１ａから取外すとき、巻軸抜取復帰機構５により巻軸１ａを巻取位置の巻取ロールＲから軸線方向に抜取って抜取位置につけることができる。図１には上側の巻軸１ａの抜取位置を２点鎖線で示している。また帯状シートＳを巻取るとき巻軸抜取復帰機構５により巻軸１ａを抜取位置から巻取位置へ復帰させることができる。なお、巻軸抜取復帰機構５により巻軸１ａを抜取るとき、予め巻取ロールＲを図示しない公知のロール受けにより下から支えることができるようになっている。
【０００９】
このシート巻取装置では、巻軸１ａ及び巻軸１ｂの後端部に可動軸受６を設け、フレーム２には、巻軸１ａ、１ｂにより貫通される部分に、各可動軸受６に共通の支持筒７を固設し、この支持筒７の内径を、外径の大きい方の巻軸１ｂを通すことができる大きさにしている。巻軸１ａ、１ｂの各々の可動軸受６は夫々支持筒７の内周に適合する大きさと形状になっており、巻軸１ａ、１ｂから抜け落ちないように拘束してある。またフレーム３には巻軸先端を支持するための駆動軸８を支持筒７と同じ軸線上に回転可能に設け、この駆動軸８の、支持筒７へ向けた先端部と、巻軸１ａ及び１ｂの先端部を、特公昭６２−４６４５９号公報の第２図に開示されている駆動軸及び巻取軸と同様の構造にしてある。そして巻軸１ａを、支持筒７を貫通させて図１に実線で示すように巻取位置につけたとき、可動軸受６の先端部が支持筒７に嵌まって可動軸受６が支持筒７で保持される共に、巻軸１ａの先端部と駆動軸８の先端部とが係合して巻軸１ａの先端部が駆動軸８により支持され、かつ、駆動軸８の回転が巻軸１ａに伝達される。この駆動軸８には、図示しない巻取モータにより巻取中に回転駆動される原動軸９の回転力が上下の駆動軸８の後端部に夫々設けたプーリ１０に、プーリ１１及びベルト１２を介して伝達されようにしてある。したがって、巻取位置につけた巻軸１ａは可動軸受６と駆動軸８により回転可能に支持され、巻取中は駆動軸８から回転力を受けて回転する。そして巻軸１ａを巻軸１ｂに取替えても、それを巻軸１ａと同様に支持し、回転駆動することができる。なお軸トルク巻の巻軸を使用する必要がある場合には、伝動装置中のメカロスを小さくするために、特公昭６２−４６４５９号公報の第２図に開示されているように駆動軸８の後端部に磁粉クラッチ等のトルク調節手段を設けるとよく、それにより所要巻取張力が小さいときでも巻取張力の誤差を小さくすることができる。
【００１０】
また、このシート分割巻取装置では、巻軸抜取復帰機構５を、巻軸１ａの抜取及び復帰時に巻軸１ａの外周面を支えるための、フレーム２沿いに設けた受具１３、フレーム２の外側に配設し巻軸１ａの軸線方向に平行に伸びた案内支持体１４、この案内支持体１４にスライド可能に装着した移動体１５、この移動体１５を前進後退させるためのネジ棒１６、及び可動軸受６と移動体１５とを連結分離可能な連結機構１７によって構成している。そして案内支持体１４及びネジ棒１６の長さを、移動体１５が支持筒７から巻軸１ａを抜去るまで後退することができる長さにしてあるので、巻軸１ａを巻軸抜取復帰機構５によって上述の抜取位置より更に後方の巻軸取替位置に後退させることができる。案内支持体１４の一端はフレーム２に固着し、他の一端は補助フレーム１８に固着してある。ネジ棒１６は、案内支持体１４と平行に伸びて、移動体１５に固設したメネジ体１５ａに螺合しており、フレーム２と補助フレーム１８に回転可能かつ軸線方向に移動不能に装着してある。またネジ棒１６は、それを適時に正転、逆転駆動するためのモータ１９を備える。このモータ１９は補助フレーム１８に取付けてあり、モータ１９の回転は歯車２０と、これに噛合う歯車２１によりネジ棒１６に伝達されるようになっている。必要に応じて、ネジ棒１６を例えば実公平１−４４５２０号公報に記載のような流体圧シリンダ装置を備えた移動機構に代えることもできる。受具１３は円筒状に形成してあり一端にとフランジ部１３ａを持ち、フランジ部１３ａを支持筒７の端面に取付けてボルトで同心に固定することができ、巻軸１ａ及び１ｂの外径の大きさに応じて内径の異なるものを準備してある。そして夫々の内径は巻軸１ａ、１ｂの外径より僅かに大きくなっており、使用する巻軸の外径に応じて取替える。
【００１１】
更に、このシート分割巻取装置では、巻軸取替位置から巻軸を受取って巻軸抜取復帰機構５の案内支持体１４と並列に保管し、保管した巻軸を巻軸取替位置へ供給できるようにするために、外径が異なる二つの巻軸１ａ、１ｂを支えるための夫々の巻軸受け２２、２３を移動可能に支持した休止巻軸支持装置２４を巻軸取替位置の傍らに配設している。この休止巻軸支持装置２４は、巻軸受け２２、２３を夫々装着した二つの腕２５、２６を持つ可動体２７と、それを移動させることができる可動体移動機構２８とを備えている。腕２５、２６は夫々巻軸長手方向に一定の間隔をとって一対ずつ可動体２７の縦部材２７ａに固設してあり、巻軸受け２２、２３は、各一対の腕２５、２６の先端部に装着した夫々一対のローラからなり、巻軸１ａ、１ｂをその長手方向に移動可能に支えることができる。
【００１２】
図２に示すように、腕２５、２６は上下に一定の間隔をとって共通の可動体２７に固設してあるので、可動体２７の移動により巻軸受け２２、２３が同時に移動し、巻軸１ａ、１ｂの巻軸取替位置への入れ替えを短時間で行うことができ、巻軸受け２２、２３を移動する機構も簡素化する。また上下の巻取位置に対し巻軸交換を一斉に行えるようにするために腕部２５、２６を夫々上下の巻取位置と同じ相互間隔をとって可動体２７に二組固設している。また可動体２７を、基盤２９上に巻軸長手方向に間隔をとって立設した一対の案内支柱３０に昇降可能に装着し、各腕２５、２６上の巻軸受け２２、２３は、夫々巻軸取替位置Ｐの巻軸１ａの中心を通る、案内支柱３０に平行な直線上に一列に配置してある。また可動体移動機構２８は、公知のパワーリフターにおける昇降機構を利用したもので、流体圧シリンダ装置３１と、そのピストンロッド３２の先端に回転可能に設けた鎖歯車３３と、一端を可動体２７に連結し、他の一端を案内支柱３０に設けた横部材３４に連結すると共に、鎖歯車３３に掛けたチェーン３５とからなり、一対の案内支柱３０の間に配置してある。流体圧シリンダ装置３１は、図示しない切替え弁を操作することにより、ピストンロッド３２を進出させたり、所要の位置で停止させたり、後退させたりすることができるようになっており、ピストンロッド３２を進出後退させることにより、可動体２７を昇降させることができる。したがって、可動体２７を可動体移動機構２８により案内支柱３０沿いに昇降させることにより、巻軸受け２２、２３を、それで支持した巻軸１ａ、１ｂが巻軸取替位置Ｐにつく各々の巻軸受渡位置と、それで支持した巻軸１ａ、１ｂが巻軸取替位置Ｐから上下方向に退避した退避位置につく各々の巻軸保管位置とに別々につけることができる。この実施例の場合、可動体移動機構２８は一つで足りる。
【００１３】
連結機構１７は、下側のものについて説明すると、移動体１５に固設したブラケット３６に設けた一対の連結板３７と、可動軸受６にの両側面に設けた穴３８に、連結板３７に設けた孔を通して嵌まる一対のピン３９とからなる。なお連結機構１７は移動体１５と可動軸受６とを適宜に連結切離し可能であればよく、必要に応じて、例えば特公昭６２−４６４５９号公報の第３図に開示されるように鍔にフックを掛けるものに代えてもよい。
【００１４】
次に、上述のように構成したシート巻取装置での巻軸交換の仕方について説明する。図１において、巻軸交換時、上下に配置した巻軸抜取復帰機構５、並びに休止巻軸支持装置２４の巻軸受け２２及び２３は、上下ともに同様の動作をするので、主として下側の巻軸交換について説明する。外径の小さい巻軸１ａを巻取位置から取外し、巻軸受け２３で支持している巻軸１ｂと取替えるには、巻軸１ａ上の巻取ロールＲを下方から図示しないロール受けで支えた後、巻軸１ａを巻軸引抜復帰機構５により夫々抜取位置まで抜取る。このとき、図２に示すように巻軸受け２２は巻軸取替位置Ｐの下方に待機し、巻軸受け２３は巻軸保管位置についている。次に、可動体２７を可動体移動機構２８により上昇させ、巻軸受け２２を図３に示すように巻軸受渡位置につける。
【００１５】
次に、巻軸１ａを巻軸抜取復帰機構５により後退させて、図４に示すように巻軸取替位置につける。このとき支持筒７から抜き去った巻軸１ａは巻軸受け２２に支えられた状態で巻軸受け２２上を移動する。その後、受具１３を取外す。
【００１６】
次に、連結機構１７のピン３８を抜き、巻軸抜取復帰機構５の移動体１５から可動軸受６を切り離す。そして、上昇する巻軸１ａと図２に示すブラケット３６とが互いに干渉するのを防ぐために、モータ１９を作動させて移動体１５を図５に示すように退避位置まで後退させた後、可動体２７を可動体移動機構２８により上昇させ、図６に示すように巻軸受け２３を巻軸受渡位置につけ、モータ１９を抜取時と逆方向に作動させることにより移動体１５を退避位置から前進させ、図７に示すように巻軸取替位置の巻軸１ｂと連結可能な位置につける。そして図２に示すように連結機構１７のピン３９を連結板３７の孔から可動軸受６に設けた穴３８に挿入して移動体１５と可動軸受６とを連結する。また巻軸１ｂの外径に応じた受具１３を支持筒７に装着する。これで巻軸１ｂを巻軸抜取復帰機構５により進退させることができる状態になる。
【００１７】
次に、巻軸１ｂを巻軸抜取復帰機構５により前進させて抜取位置につける。その後、可動体移動機構２８により可動体２７を上昇させ、巻軸受け２２を図８に示す巻軸保管位置につける。このとき、巻軸受け２３は巻軸取替位置Ｐの巻軸１ｂの下方に待機する。
【００１８】
巻軸１ｂを用いて帯状シートＳを巻取る場合は、巻軸１ｂを巻軸抜取復帰機構５により前進させると共に所定位置に巻芯を装着して巻取位置につける。巻取位置の巻軸１ｂを巻軸受け２２上に保持した巻軸１ａと交換する場合、巻軸抜取復帰機構５は上述の巻取位置の巻軸１ａを巻軸受け２３上に保持した巻軸１ｂと交換する場合と同様に作動させる。また休止巻軸支持装置２４では、まず可動体２７を図８に示す位置から可動体移動機構２８により上昇させて巻軸受け２３を図６に示す巻軸受渡位置につける。巻軸１ｂを巻軸抜取復帰機構５から切り離した後、可動体２７を可動体移動機構２８により下降させ、巻軸受け２２を図６に示す位置から、図３に示す巻軸受渡位置につけ、巻軸受け２２から巻軸１ａを巻軸抜取復帰機構５に渡した後、巻軸受け２３を図２に示す巻軸保管位置につける。
【００１９】
本発明では、腕２５、２６の相互間隔を、巻軸抜取復機構５のブラケット３６や連結機構１７に干渉しないよう十分にとることができない場合、図９に示すように上側の腕２５を可動体２７に、その可動体２７の移動方向に対して交差する方向に進退可能に装着するとよい。図１０は、図９に示す休止巻軸支持装置２４の腕２５の平面図であり、図９の切断線Ｂ−Ｂ沿いに切断した部分を矢印Ｃ方向に見ている。また図１１は図１０の切断線Ｄ−Ｄ沿いの断面を矢印Ｅ方向に見た断面図である。この休止巻軸支持装置２４は、可動体２７に固設した各々左右一対の補助腕４０及び４１に夫々車輪４２を設け、一対の腕２５を夫々Ｃ形断面に形成して二つの車輪４２に被せ嵌め、二つの車輪４２に案内されて水平方向に進退することができるようにし、腕２５の先端と後端には車輪４２に当たり腕２５の移動範囲を限定するための部材を固着し、一対の腕２５の先端付近にローラ２２ａを夫々装着して巻軸受け２２としている。また腕２５をその前進限と後退限で可動体２７に固定可能にするために可動体２７の縦部材２７ａにクランプネジ４３を設け、このクランプネジ４３の先端で腕２５を押圧することができるようにしている。図９おいて実線で示す腕２５は後退限につけてあり、巻軸受け２２及び巻軸受け２３はそれぞれ巻軸保管位置についている。また２点鎖線で示した腕２５は前進限につけてあり、このときの巻軸受け２２は巻軸取替位置Ｐにある巻軸１ａの真下に位置している。この状態で可動体２７を可動体移動機構２８により上昇させることにより巻軸受け２２を巻軸受渡位置につけることができる。可動体２７を更に上昇させることにより下側の巻軸受け２３を巻軸受渡位置につけるとき、腕２５を実線で示す位置に後退させておく。
【００２０】
また、本発明では、休止巻軸支持装置の可動体は、水平方向に伸びたレールの案内面に沿って移動可能かつ昇降可能であってもよい。このような態様の休止巻軸支持装置は、例えば、前記レールを、公知の油圧リフターを備えた昇降可能な昇降台上に設け、前記レールに案内されて移動可能な基台上に可動体を設けており、前記基台は、人手により前記レール上を移動させることができ、ストッパーにより二つの巻軸受けが夫々巻軸取替位置の中心を通る鉛直線上に位置するように位置決め可能であり、公知の固定手段により昇降台に固定できるようにしてある。そして巻軸が巻軸取替位置についており、片方の巻軸受けが巻軸保管位置についているとき、もう片方の巻軸受けは巻軸取替位置の真下に位置している。この状態で前記昇降台を上昇させることによりもう片方の巻軸受けを巻軸受渡位置に付けることができる。また前記可動体上のもう片方の巻軸受けは巻軸保管位置についている。また、もう片方の巻軸受けを待機位置につけると、片方の巻軸受けは、巻軸取替位置の真下に位置することになり、その状態で前記昇降台を上昇させることにより片方の巻軸受けを巻軸受渡位置につけることができる。
【００２１】
本発明のシート巻取装置は、上述のシート巻取装置に、抜取位置から更に後退する巻軸の先端付近の外周部を下から支えるための補助巻軸受けを、巻軸支持位置と退避位置につくことができるように設けたものであってもよい。図１２及び図１３に示す補助巻軸受け４９はローラであり、揺動腕５０の先端に設けた支持軸５１に回転可能に装着してある。揺動腕５０はフレーム２に設けたブラケット５２にピン５３により枢着し、支持軸５１に腕５４の上端を回転可能に装着し、フレーム２に一対のブラケット５５を固設し、ブラケット５５には所定の位置に孔５６、５７、５８を設け、腕５４の下端に形成した孔５９に、孔５６、５７、５８の何れかを通してピン６０を差込むことにより、腕５４をブラケット５５に固定できるようにしてある。そして孔５８にピン６０を通して腕５４を固定したとき、補助巻軸受け４９は外径の小さい巻軸１ａを支える支持位置Ｐ３につき、孔５７にピン６０を通して腕５４を固定したとき、補助巻軸受け４９は外径の大きい巻軸１ｂを支える支持位置Ｐ２につき、孔５６にピン６０を通して腕５４を固定したとき、補助巻軸受け４９は退避位置Ｐ１につく。この補助巻軸受け４９は、巻軸１ａ、１ｂが後退して抜取位置についたとき支持位置Ｐ３、Ｐ２に付け、巻軸が復帰して抜取位置についたとき退避位置Ｐ１につける。この補助巻軸受け４９を設けたシート巻取装置では、抜取位置から更に後方に後退させるとき、巻軸受けにより巻軸を長手方向に移動可能に支える必要がなくなるので、図１に示す休止巻軸支持装置２４の巻軸受け２２、２３を、巻軸１ａ、１ｂの外周部を把持する把持爪を備えた巻軸受けに替えることもできる。そして休止巻軸支持装置を設置するための空所の状況に応じて、図１に示す可動体２７を巻軸と平行な軸線を中心に揺動又は回転可能な可動体に替えることができる。
【００２２】
【発明の効果】
本発明によれば、熟練者でなくても外径や構造が異なる巻軸を簡単に交換することができ、シート巻取装置の機外に棚などの保管場所を設けること不要になり、巻軸を搬送するためのホイスト等の大掛かりな巻軸運搬設備も不要になり、巻軸の交換に要する時間を大幅に短縮することができる。また休止巻軸支持装置は比較的簡単な構造のもので足り、巻軸抜取復帰機構に並列に出来る空所に配置できるので、占有空間が従来装置とほとんど変わらないシート巻取装置を提供することができる。
【図面の簡単な説明】
【図１】  本発明の一実施例に係るシート巻取装置の正面図である。
【図２】  図１の矢印Ａの方向に見た側面図である。
【図３】  小径巻軸の巻軸受けが巻軸受渡位置についた状態を示す側面図である。
【図４】  巻軸抜取復帰機構が巻軸を巻軸取替位置につけた状態を示す正面図である。
【図５】  巻軸抜取復帰機構の移動体が巻軸から退避した状態を示す正面図である。
【図６】  大径巻軸の巻軸受けが巻軸受渡位置についた状態を示す側面図である。
【図７】  巻軸抜取復帰機構の移動体と、巻軸取替位置にある大径巻軸の可動軸受とを連結した状態を示す正面図である。
【図８】  大径巻軸の巻軸受けが待機位置についた状態を示す側面図である。
【図９】  休止巻軸支持装置の他の態様を説明するための側面図である。
【図１０】  図９の切断線Ｂ−Ｂ沿いの断面を矢印Ｃ方向に見た平面図である。
【図１１】  図１０の切断線Ｄ−Ｄ沿いの断面を矢印Ｅ方向に見た正面図である。
【図１２】  本発明のシート巻取装置の別の態様に係る補助巻軸受けの正面図である。
【図１３】  巻軸の先端部を補助巻軸受けで支えた状態を示す、図１２の矢印Ｆ方向に見た側面図である。
【符号の説明】
Ｒ  巻取ロール
Ｓ  帯状シート
１ａ  巻軸
１ｂ  巻軸
２  フレーム
５  巻軸抜取復帰機構
６  可動軸受
７  支持筒
８  駆動軸
１３  受具
１４  案内支持体
１５  移動体
１６  ネジ棒
１７  連結機構
１９  モータ
２２  巻軸受け
２３  巻軸受け
２４  休止巻軸支持装置
２７  可動体
２８  可動体移動機構
４９  補助巻軸受け
【図１】
0004314505.tif 000002
【図２】
0004314505.tif 000003
【図３】
0004314505.tif 000004
【図４】
0004314505.tif 000005
【図５】
0004314505.tif 000006
【図６】
0004314505.tif 000007
【図７】
0004314505.tif 000008
【図８】
0004314505.tif 000009
【図９】
0004314505.tif 000010
【図１０】
0004314505.tif 000011
【図１１】
0004314505.tif 000012
【図１２】
0004314505.tif 000013
【図１３】
0004314505.tif 000014